(57)【要約】弁（２０）はハウジング（２２）を含む。スリーブ（２６）がハウジング（２２）によって少なくとも部分的に囲まれる。スリーブ（２６）は、ハウジング（２２）に対して摺動可能である。移動ストッパ（３０）がスリーブ（２６）と係合可能に設けられており、スリーブの移動を制限する。
2015535577.tif 000002
【特許請求の範囲】
【請求項１】
ハウジングと、
前記ハウジングによって少なくとも部分的に囲まれ、該ハウジングに対して摺動可能なスリーブと、
前記スリーブの移動ストロークを制限するために該スリーブと係合可能な移動ストッパと、を備えることを特徴とする弁。
【請求項２】
前記弁は、スリーブ弁であることを特徴とする請求項１に記載の弁。
【請求項３】
前記移動ストッパは、前記ハウジングに関連して配置されていることを特徴とする請求項１に記載の弁。
【請求項４】
前記移動ストッパは、間抜きねじ山を含むことを特徴とする請求項１に記載の弁。
【請求項５】
前記間抜きねじ山は、ねじ山に対して横向きに延びる複数の直線状スロットを含むことを特徴とする請求項４に記載の弁。
【請求項６】
前記間抜きねじ山は、前記軸に平行な複数の直線状スロットを含むことを特徴とする請求項４に記載の弁。
【請求項７】
前記複数の直線状スロットの１つと係合可能な移動ストッパロックをさらに備え、この移動ストッパロックは、前記移動ストッパを回転不能に固定していることを特徴とする請求項５に記載の弁。
【請求項８】
前記移動ストッパロックは、前記ハウジングに取付可能であることを特徴とする請求項７に記載の弁。
【請求項９】
前記移動ストッパロックは、前記複数の直線状スロットの１つに受け入れられるキーを含むことを特徴とする請求項８に記載の弁。
【請求項１０】
前記キーは、前記ハウジングに螺合されたねじ付き取付部によって軸方向に拘束されていることを特徴とする請求項９に記載の弁。
【請求項１１】
前記移動ストッパは、前記ねじ付き取付部用のねじ付き開口部を通してアクセス可能であることを特徴とする請求項１０に記載の弁。
【請求項１２】
間抜きねじ山を有する移動ストッパを備え、前記間抜きねじ山は、複数の直線状スロットを含むことを特徴とする弁。
【請求項１３】
前記移動ストッパは、スリーブの移動ストローク限界を選択的に調整するように少なくとも部分的に該スリーブを囲んでいることを特徴とする請求項１２に記載の弁。
【請求項１４】
前記移動ストッパを回転不能に固定するように、前記複数の直線状スロットの１つと係合可能な移動ストッパロックをさらに備えることを特徴とする請求項１２に記載の弁。
【請求項１５】
前記移動ストッパロックは、前記複数の直線状スロットの１つに受け入れられるキーを含むことを特徴とする請求項１４に記載の弁。
【請求項１６】
前記キーは、前記移動ストッパを収容するハウジングに螺合されるねじ付き取付部によって軸方向に拘束されていることを特徴とする請求項１５に記載の弁。
【請求項１７】
前記移動ストッパは、前記ねじ付き取付部用のねじ付き開口部を通してアクセス可能であることを特徴とする請求項１６に記載の弁。
【請求項１８】
ハウジングに対するスリーブの移動ストロークを制限するように移動ストッパを軸方向に配置することを含む方法。
【請求項１９】
前記スリーブに関する軸に沿って前記移動ストッパにねじ山をつけることをさらに含むことを特徴とする請求項１８に記載の方法。
【請求項２０】
前記移動ストッパの間抜きねじ山の複数の直線状スロットの１つと係合することをさらに含むことを特徴とする請求項１９に記載の方法。
【発明の詳細な説明】
【技術分野】
【０００１】
本開示は、一般に、弁に関し、特に、航空宇宙用途で使用される調整可能なスリーブ弁の実施例に関する。
【背景技術】
【０００２】
本開示は、２０１２年１１月２７日に出願された米国仮特許出願第６１／７３０４６８号の優先権を主張する。
【０００３】
航空宇宙ビークル用の弁は、流量制御のために一般に採用されている。従来は、種々の開ループ制御システムにおいて、例えば、液体ロケットエンジンの推進薬混合比を最適化するように、主推進薬弁に隣接するトリムオリフィス板の交換によって流体混合比の調整が行われてきた。
【発明の概要】
【発明が解決しようとする課題】
【０００４】
上記の方法は、繰り返しが多く、比較的時間がかかり、推進薬供給経路に関係する場合に、パージや漏れの確認を続いて行う必要がありうる。
【課題を解決するための手段】
【０００５】
本発明の一実施例によれば、弁は、ハウジングと、該ハウジングによって少なくとも部分的に囲まれ、該ハウジングに対して摺動可能なスリーブと、スリーブの移動ストロークを制限するために該スリーブと係合可能な移動ストッパと、を備える。
【０００６】
種々の特徴は、以下に開示された限定的でない実施例の詳細な説明によって当業者に明らかとなる。詳細な説明に伴う図面は、以下に簡単に説明される。
【図面の簡単な説明】
【０００７】
【図１】開示された限定的でない一実施例によるスリーブ弁全体の概略断面図である。
【図２】図１の弁と共に使用される開示された限定的でない一実施例による移動ストッパの透視図である。
【発明を実施するための形態】
【０００８】
図１は、本質的に管状の構造を有する弁２０を概略的に示しているが、直線からなる形状などの他の形状も本発明の利益を受ける。スリーブ弁は、例えば、宇宙機推進装置におけるＬＯＸおよびＬＨ２推進薬用の遮断弁の信頼性および性能を提供するために、単元推進薬スラスタや二元推進薬スラスタ用の推進薬流量制御弁において流体の流量およびヘッド圧力を制御するために使用することができる。スリーブ弁は、管路圧力から実質的に独立した作動力で動作する能力により使用されることが多いため、工業用配管システム、水力発電設備、農業設備、配水システム、医療システムおよび他のこのようなシステムに容易に適用可能である。
【０００９】
弁２０は、開示された限定的でない一実施例によれば、ハウジング２２、分流器２４、スリーブ２６、ばね２８、移動ストッパ３０および移動ストッパロック３２を含む。ハウジング２２は、軸Ａに沿って下流に位置する分流器２４に向かうボア３４を定める。分流器２４は、入口３４から軸Ａに平行かつ軸Ａの周囲に設けられた複数の出口通路３６を通って径方向外向きに流れを導くように少なくとも部分的に円錐形とすることができる。
【００１０】
スリーブ２６は、ボア３４内に位置し、径方向外向きに延びるフランジ３８を含む。フランジ３８は、第１のポート４２および／または第２のポート４４から流体圧力を選択的に受ける環状の作動口４０を分割しており、第１のポート４２および／または第２のポート４４は、フランジ３８の両側でそれぞれ環状の作動口４０と連通するように設けられている。ハウジング２２、分流器２４、スリーブ３６、フランジ３８、ボア３４および環状の作動口４０の間の境界面４６は、Ｏリング、シールリング、チャネルシールなどのシールによってガス流れまたは外部流体に対して密閉されうる。
【００１１】
ばね２８は、環状の作動口４０内に設けることができ、例えば、第１のポート４２に加わる流体圧力により、ばねの付勢力に打ち勝ってスリーブ２６が分流器２４から離れるように動いて弁２０が開く。この例では、第２のポート４４はベントとして機能しうる。あるいは、第２のポート４４は、ばね２８に加えてまたはばねの代わりに、二方向の作動を提供するように流体圧力源と連通していてもよい。
【００１２】
移動ストッパ３０は、スリーブ２６の移動ストローク限界を設定する調整可能な機械的ストッパを提供するように、環状の作動口４０の雌ねじ５２に螺合される間抜きねじ山（ｉｎｔｅｒｒｕｐｔｅｄ  ｔｈｒｅａｄ）５０を含むことができる。間抜きねじ山５０は、ねじ山５６（図２参照）に対して横向きに延びる複数の直線状スロット５４を含み、これらのスロットに移動ストッパロック３２が受け入れられて、移動ストッパ３２を回転不能に、そしてこれにより軸方向に固定する。移動ストッパの軸方向の調整によって、単一の弁内で正確な流動抵抗の調整が容易となる。直線状スロット５４の間の所定の周方向距離は、所定の調整能力を提供するとともにサイクル毎の流動抵抗の変動を減少させる。
【００１３】
移動ストッパロック３２は、一般にねじ付き取付部６０を含み、このねじ付き取付部６０は、ハウジング２２のねじ付き開口部６２に螺合されて複数の直線状スロット５４の１つと係合するキー５８を支持および保持する。キー５８は、ハウジング２２へのねじ付き取付部６０の螺合に応じて、ねじ付き取付部６０によって軸方向に拘束される。すなわち、ねじ付き取付部６０が回転する一方で、複数の直線状スロット５４の１つに支持されるキー５８は回転しない。
【００１４】
さらに、開口部６２からねじ付き取付部６０を外すことによって、直線状スロット５２との係合により外部から移動ストッパ３０を調整することができる。つまり、ねじ付き取付部６０およびねじ付き開口部６２は、内部の移動ストッパ４０への回転アクセスを容易にして弁２０の正確な調整を提供するために、比較的大きく、かつ軸Ａに対して横向きに設けることができる。
【００１５】
これにより、弁２０は、液体ロケットエンジンなどの種々の開ループ制御システムにおいて、推進薬経路を遮ることを要さずに流体混合比の調整を可能とする。
【００１６】
全図を通して対応部および相当部には同様の参照符号を付している。図示の実施例では、特定の構成要素の配置が示されているが、他の配置でも本発明の利益が得られる。
【００１７】
異なる限定的でない実施例は、具体的に示された構成要素を有しているが、本発明の実施例はこれらの特定の組み合わせに限定されるものではない。いずれかの限定的でない実施例のいくつかの構成要素や特徴部を他のいずれかの限定的でない実施例の特徴部や構成要素と組み合わせて使用することができる。
【００１８】
説明（特に以下の請求項）において、「１つの」や「その」および同様の表現は、本明細書に示していない限りまたは文脈の中で具体的に否定されていない限り、単数および複数の両方を含む。数量に関連して使用される修飾語の「約」は、示された値を含むものであり、文脈で必然的に決まる意味を有する（例えば、特定の数量の測定に関連した誤差を含む）。ここで開示した全ての範囲は、端点を含むものであり、これらの端点はそれぞれ独立して互いに組み合わせ可能である。
【００１９】
特定のステップシーケンスを開示、説明および請求項に記載したが、これらのステップは、他に記載がない限り、どのような順序で実行しても、分離しても組み合わせてもよく、それでもなお本開示の利益を得る。
【００２０】
上述の説明は、例示的なものであり、限定的なものではない。本明細書に種々の限定的でない実施例を示したが、当業者であれば分かるように、上述の教示に照らした種々の改良および変更も添付の請求項の範囲内に含まれる。従って、添付の請求項の範囲内であれば、本開示を具体的に説明した以外の方法で実施することができる。よって、真の範囲および内容を判断するためには、添付の請求項の検討が必要である。
【符号の説明】
【００２１】
２０…弁
２２…ハウジング
２６…スリーブ
３０…移動ストッパ
【図１】
2015535577.tif 000003
【図２】
2015535577.tif 000004
【国際調査報告】
2015535577.tif 000005
2015535577.tif 000006